(57)【要約】  【課題】  レーザー光の強度が３段階以上の記録媒体におけるＬＰＰアドレスを確実に検出するランドプリピットアドレス復調装置を提供する。  【解決手段】  レーザー反射光の少なくとも一部を用いる第１検出部で検出された第１信号と、レーザー反射光の少なくとも一部を用いる第２検出部で検出された第２信号の差分信号を算出する減算部２と、差分信号を二値化して第１アドレスを出力する第１二値化部９と、第１信号と第２信号の加算信号を算出する加算部１５と、加算信号を二値化して切り替え信号を出力する第２二値化部１２と、切り替え信号での切り替えにより、差分信号と所定の基準信号の一方を選択出力する選択部４と、選択部４の出力を二値化して第２アドレスを出力する第３二値化部８と、第１アドレスと第２アドレスの論理和を算出する算出部１０と、第２二値化部で用いる閾値を生成する生成部１１を備える。【選択図】  図１
2007234193.tif 000002
【特許請求の範囲】
【請求項１】
ディスク型の記録媒体からのレーザー反射光を用いてランドプリピットアドレスを検出するランドプリピットアドレス復調装置であって、
前記レーザー反射光の少なくとも一部を用いる第１検出部で検出された第１信号と、前記レーザー反射光の少なくとも一部を用いる第２検出部で検出された第２信号の差分信号を算出する減算部と、
前記差分信号を二値化して第１アドレスを出力する第１二値化部と、
前記第１信号と前記第２信号の加算信号を算出する加算部と、
前記加算信号を二値化して切り替え信号を出力する第２二値化部と、
前記切り替え信号での切り替えにより、前記差分信号と所定の基準信号の一方を選択出力する選択部と、
前記選択部の出力を二値化して第２アドレスを出力する第３二値化部と、
前記第１アドレスと前記第２アドレスの論理和を算出する算出部と、
前記第２二値化部で用いる閾値を生成する生成部を備えるランドプリピットアドレス復調装置。
【請求項２】
前記生成部は、前記加算信号の積分値を生成するローパスフィルタを備える請求項１記載のランドプリッピットアドレス復調装置。
【請求項３】
前記生成部は、前記加算信号のピーク値を保持するピーク保持部と、前記ピーク値に可変のオフセット量を付与する付与部を備える請求項１記載のランドプリピットアドレス復調装置。
【請求項４】
前記生成部は、前記加算信号の積分値を生成するローパスフィルタと、前記ローパスフィルタの出力に可変のオフセット量を付与する付与部を備える請求項１記載のランドプリピットアドレス復調装置。
【請求項５】
前記生成部は、前記加算信号の値を所定のタイミングで保持するサンプルホールド部と、前記サンプルホールド部の出力に可変のオフセット量を付与する付与部を備える請求項１記載のランドプリピットアドレス復調装置。
【請求項６】
前記記録媒体へのレーザー光が強度の低い順から第１強度、第２強度、第３強度を有する場合に、前記所定のタイミングは、前記第２強度のレーザー光が照射されているタイミングである請求項５記載のランドプリピットアドレス復調装置。
【請求項７】
前記生成部は、前記加算信号の積分値を生成するローパスフィルタと、前記加算信号のピーク値を保持するピーク保持部と、前記積分値と前記ピーク値を増幅する増幅部と、前記積分値と前記増幅部の出力を加算する第２加算部を備える請求項１記載のランドプリピットアドレス復調装置。
【請求項８】
前記生成部は、前記ローパスフィルタの出力、前記付与部の出力および前記第２加算部の出力の少なくとも一つを、前記閾値として用いる請求項１から７のいずれか記載のランドプリピットアドレス復調装置。
【請求項９】
前記第１アドレスは、前記記録媒体のマーク部のランドプリピットアドレスを含み、前記第２アドレスは、前記記録媒体のスペース部のランドプリピットアドレスを含む請求項１から８のいずれか記載のランドプリピットアドレス復調装置。
【請求項１０】
前記記録媒体は、ＤＶＤ−ＲおよびＤＶＤ−ＲＷの少なくとも一方である請求項１から９のいずれか記載のランドプリピットアドレス復調装置。
【請求項１１】
前記記録媒体へのレーザー光は、少なくとも第１の強度と第２の強度を有する請求項１から１０のいずれか記載のランドプリピットアドレス復調装置。
【請求項１２】
前記記録媒体へのレーザー光は、第３の強度を更に有する請求項１１記載のランドプリピットアドレス復調装置。
【請求項１３】
前記第１信号は第１トラッキングエラー信号を含み、前記第２信号は、第２トラッキングエラー信号を含む請求項１から１２のいずれか記載のランドプリピットアドレス復調装置。
【請求項１４】
ディスク型の記録媒体からのレーザー反射光を用いてランドプリピットアドレスを検出するランドプリピットアドレス復調装置であって、
前記レーザー反射光の少なくとも一部を用いて第１トラッキングエラー信号を検出する第１検出部と、
前記レーザー反射光の少なくとも一部を用いて第２トラッキングエラー信号を検出する第２検出部と、
前記第１トラッキングエラー信号と第２トラッキングエラー信号の差分信号を算出する減算部と、
前記差分信号を二値化して第１アドレスを出力する第１二値化部と、
前記第１トラッキングエラー信号と前記第２トラッキングエラー信号の加算信号を算出する加算部と、
前記加算信号をニ値化して切り替え信号を出力する第２二値化部と、
前記切り替え信号での切り替えにより、前記差分信号と所定の基準信号の一方を選択出力する選択部と、
前記選択部の出力を二値化して第２アドレスを出力する第３二値化部と、
前記第１アドレスと前記第２アドレスの論理和を算出する算出部と、
前記第２二値化部で用いる閾値を生成する生成部を備えたランドプリピットアドレス復調装置。
【請求項１５】
請求項１から１４のいずれか記載のランドプリピットアドレス復調装置と、
前記ランドプリピットアドレスに対応するデータ信号を検出する検出部と、
前記データ信号を復調する復調部と、
前記ランドプリピットアドレスと、前記データ信号を信号処理する信号処理部と、
前記信号処理部の出力信号を再生する再生部を備える記録媒体再生装置。
【請求項１６】
ディスク型の記録媒体からのレーザー反射光を用いてランドプリピットアドレスを検出する半導体集積回路であって、
前記レーザー反射光の少なくとも一部を用いる第１検出部で検出された第１信号と、前記レーザー反射光の少なくとも一部を用いる第２検出部で検出された第２信号の差分信号を算出する減算部と、
前記差分信号を二値化して第１アドレスを出力する第１二値化部と、
前記第１信号と前記第２信号の加算信号を算出する加算部と、
前記加算信号をニ値化して切り替え信号を出力する第２二値化部と、
前記切り替え信号での切り替えにより、前記差分信号と所定の基準信号の一方を選択出力する選択部と、
前記選択部の出力を二値化して第２アドレスを出力する第３二値化部と、
前記第１アドレスと前記第２アドレスの論理和を算出する算出部と、
前記第２二値化部で用いる閾値を生成する生成部を備えた半導体集積回路。
【発明の詳細な説明】
【技術分野】
【０００１】
本発明は、記録媒体からの読み出し、記録媒体への書き込みのために、ディスク型の記録媒体からのレーザー反射光を用いてランドプリピットアドレスを検出するランドプリピットアドレス復調装置に関する。
【背景技術】
【０００２】
近年、画像や音声データを記録するために、高容量の記録媒体が多く用いられるようになっており、この記録媒体の一つとしてＤＶＤ−Ｒ／ＲＷがある。このＤＶＤ−Ｒ／ＲＷは、ＤＶＤ−ＲＯＭとの互換性のために、データの記録、再生の際に必要なアドレス情報が、記録媒体であるディスクの案内溝同士の間（ランドともいう）に埋め込まれている。図１４は、ＤＶＤ−Ｒ／ＲＷに対応する記録媒体の一部を表す模式図である。
【０００３】
記録媒体上にランドが形成されており、ランドとランドに挟まれた溝にはデータ情報を有するピットが形成されている。ランド上には、上記で説明したアドレス情報を有するランドプリピット（以下、「ＬＰＰ」という）が形成されている。ここで、ランドに対する直交軸を基準にして、ピットと重なる位置にあるＬＰＰをマーク部のＬＰＰ（以下、「ＬＰＰ（ｍ）」という）といい、これ以外の位置にあるＬＰＰをスペース部のＬＰＰ（以下、「ＬＰＰ（ｓ）」という）という。図１４から明らかな通り、ＬＰＰ（ｍ）は、ピットと重なる位置にあり、ＬＰＰ（ｓ）は、ピットと重ならない位置にある。なお、ＬＰＰに含まれるアドレス情報をＬＰＰアドレスという。このようなＬＰＰアドレスは、ＤＶＤ−Ｒ／ＲＷの記録媒体において、特有に用いられる。
【０００４】
図１４に示されるように、記録媒体からの情報の読み出しは、レーザー光が記録媒体上に照射され、このレーザー反射光により、ＬＰＰからのＬＰＰアドレスやピットからのデータの検出により行われる。また、レーザー光の照射による記録膜の溶融と凝固によって、ＬＰＰやピットが記録媒体上に形成されて、情報が記録される。
【０００５】
また、高速記録時では、レーザー光の照射パワーを大きくする必要がある。例えば、記録速度が２倍になると、レーザー光の照射パワーは約１．４１倍にされる必要がある。
【０００６】
図１５は、従来の技術におけるランドプリピットアドレス復調装置のブロック図である。
【０００７】
記録媒体にはレーザー光が照射され、このレーザー反射光の少なくとも一部が２つの検出部（図示せず）により検出される。例えば、図１４に記載の領域Ａからのレーザー反射光は、第１検出部（図示せず）で検出され、第１検出部で検出された信号は第１信号ＴＥ＋である。一方、領域Ｂからのレーザー反射光は、第２検出部（図示せず）で検出され、第２検出部で検出された信号は、第２信号ＴＥ−である。なお、この第１信号ＴＥ＋と第２信号ＴＥ−は、トラッキングエラー信号として利用されている信号と共用されてもよい。
【０００８】
また、第１信号と第２信号の和となる信号ＡＳは、領域Ａと領域Ｂの全領域からのレーザー反射光である。
【０００９】
まず、図１５に示される従来の技術におけるＬＰＰアドレス検出について説明する。
【００１０】
減算部１０１は、第１信号ＴＥと第２信号ＴＥ−の差分を取り、差分信号ＴＥを出力する。
【００１１】
図１６は従来の技術における検出された第１信号を示す波形図である。図１７は、従来の技術における第２信号を示す波形図である。図１８は、従来の技術における差分信号を示す波形図である。
【００１２】
図１６に示されるように、第１信号ＴＥ＋は、包絡線が正弦波状態に変化するＲＦ成分である成分Ｅｒｆと、成分Ｅｒｆの頂点に位置するＬＰＰ成分である成分Ｅｌｐｐを有している。包絡線は、ウォブル成分Ｅｗｂｌである。第２信号ＴＥ−は、図１７に示されるように、第１信号ＴＥ＋と正負の逆になった同一波形を有している。減算部１０１から出力された差分信号ＴＥは、図１８に示される波形を有する。図１８に示されるとおり、ＲＦ成分Ｅｒｆがキャンセルされ、ウォブル成分ＥｗｂｌとＬＰＰ成分Ｅｌｐｐのみが残る。
【００１３】
この図１８に示される成分Ｅｗｂｌと成分Ｅｌｐｐを基に、第１二値化部１１０は、ＬＰＰアドレスを検出する。図１９は、従来の技術における第１二値化部での検出を示す波形図である。
【００１４】
図１９から明らかな通り、所定の閾値レベルＬｌにより、成分Ｅｌｐｐは二値化され、波形図の最上段に表されるとおりパルス信号Ｂｌｐｐとなる。同様にデータ情報に係るウォブル成分Ｅｗｂｌも、所定の閾値レベルＬｗにより二値化され、パルス信号Ｂｗとなる。この第１二値化部１１０での処理により、ＬＰＰアドレスが検出される。なお、図１８や図１９は、レーザー反射光にトラッキングエラーのない理想的な状態での波形を示している。
【００１５】
これに対して、通常の記録媒体からのレーザー反射光は、種々の外的、内的要因により、トラッキングエラーを生じており、図２０に示されるとおり、差分信号ＴＥは、ひずみを含んでいる。図２０は従来の技術における差分信号の波形図であり、図２０に示されるとおり、差分信号ＴＥには、ＲＦ成分が残留している。残留したＲＦ成分を、Ｒｒｆと呼ぶ。
【００１６】
この状態では、成分Ｅｗｂｌのピークより突出する成分Ｅｌｐｐの高さＨｂは、残留ＲＦ成分Ｒｒｆがない場合（図１８の場合）のＨａよりも小さい。このため、第１二値化部１１０において、成分Ｅｌｐｐの二値化が困難となる。結果として、ＬＰＰアドレスの検出が困難となる。
【００１７】
更に、高速記録時には、ピットを形成するレーザー光の照射パワーが増加するため、ピットと重なる位置（すなわちマーク部）からのレーザー反射光は大きくなるが、ピットのない位置（すなわちスペース部）からのレーザー反射光は小さくなる。
【００１８】
このため、図２１に示されるように、差分信号ＴＥにおけるスペース部のＬＰＰに対応する成分Ｅｌｐｐ（ｓ）が、相対的に非常に小さくなる。このとき、成分Ｅｌｐｐは、残留ＲＦ成分Ｒｒｆに埋もれてしまい、第１二値化部１１０での二値化が困難である。すなわち、スペース部のＬＰＰアドレスの検出が、非常に困難となる問題があった。
【００１９】
そこで、スペース部のＬＰＰ成分Ｅｌｐｐ（ｓ）に重なるＲＦ残留成分Ｒｒｆを除去した上で、Ｅｌｐｐ（ｓ）を検出しやすくする技術が提案されている（例えば、特許文献１参照）。図２１は、従来の技術における差分信号の波形図である。
【００２０】
特許文献１では、第１信号ＴＥ＋と第２信号ＴＥ−を加算して加算信号ＡＳを用いて、残留ＲＦ成分Ｒｒｆが除去される。
【００２１】
第２二値化部１１２は、加算信号ＡＳを所定の閾値レベルに基づいて二値化する。加算信号ＡＳは、ＲＦ成分Ｅｒｆを含んでいるものの、ＬＰＰ成分Ｅｌｐｐをほとんど含んでいない。このため、加算信号ＡＳを所定の閾値レベルで二値化すると、ＲＦ成分の存在する位置だけが高位レベルで、それ以外は低位レベルとなる切り替え信号ＳＷが生成される。この切り替え信号ＳＷは、より具体的には、スペース部のＬＰＰ成分Ｅｌｐｐの存在する位置で低位レベルであり、他の位置では高位レベルである。
【００２２】
選択部１０３は、この切り替え信号ＳＷに基づいて、差分信号ＴＥを選択出力する。選択部１０３は、切り替え信号ＳＷが高位レベルの場合には、適当な基準信号Ｖｒｅｆ１を出力し、切り替え信号ＳＷが低位レベルの場合には、差分信号ＴＥを出力する。結果として、選択部１０３からは、スペース部のＬＰＰ成分であるＥｌｐｐ（ｓ）のみが抽出されて出力される。
【００２３】
図２２、図２３は、従来の技術におけるＬＰＰ成分の抽出処理を示す波形図である。図２２の上から２段目が、第２二値化部１１２から出力された切り替え信号ＳＷの波形を示している。波形から明らかな通り、スペース部のＬＰＰ成分Ｅｌｐｐの位置において低位レベルであり、他の位置では、高位レベルである。図２２の上から３段目は、選択部１０３の出力信号の波形を表している。可変ゲインアンプ（ＶＧＡ）１０５は、この出力信号を適度に増幅する。増幅後の信号の波形は、図２２の最下段に示されている。この波形から明らかな通り、スペース部のＬＰＰ成分Ｅｌｐｐ（ｓ）が抽出されている。
【００２４】
第３二値化部１０９は、選択部１０３から出力された信号（ここでは可変ゲインアンプ１０５で増幅後の信号）を所定の閾値レベルで二値化する。この二値化により、スペース部のＬＰＰ成分に対応するパルス信号Ｂｌｐｐ（ｓ）が生成される。
【００２５】
最終的に、第１二値化部１１０から出力されるマーク部のＬＰＰに対応するパルス信号Ｂｌｐｐ（ｍ）と、第３二値化部１０９から出力されるスペース部のＬＰＰに対応するパルス信号Ｂｌｐｐ（ｓ）の論理和が、算出部１１１で算出される。
【００２６】
この算出結果は、マーク部とスペース部の両方のＬＰＰ（すなわちすべてのＬＰＰ）に対応するパルス信号Ｂｌｐｐであり、このＢｌｐｐからＬＰＰアドレスが復調される。
【００２７】
しかしながら、特許文献１に開示される技術では次のような問題があった。
【００２８】
追記が可能であるＤＶＤ−ＲＷに対応する記録媒体においては、書き込み、消去、読み出しに対応するため、必要となるレーザー光は３段階の照射強度を有する。一方、ＤＶＤ−Ｒにおいては、書き込み、読み出しのみであるので、必要となるレーザー光は２段階の照射強度でよい。
【００２９】
図２４は、従来の技術におけるＤＶＤ−Ｒに対するレーザー光の変化を示す波形図である。一つのピットを形成するために、パルス状のレーザー光が照射される。図２４から明らかな通り、レーザー光の波形に対して、ある閾値を設け、閾値で二値化した波形を繋いで生成される切り替え信号ＳＷは、ピットの長さに対応するパルス信号となる。なお、この閾値は、第２二値化部１１２で、二値化の際に用いられる閾値である。
【００３０】
ＤＶＤ−Ｒでは、レーザー光の強度が２段階であるので、閾値が多少変動しても、切り替え信号ＳＷの生成には影響が少ない。
【００３１】
これに対して、３段階のレーザー光の照射強度を必要とするＤＶＤ−ＲＷでは、閾値の設定によっては、ピットの位置にかかわらずずっと高位レベルの信号が、第２二値化部１１２で生成されることが生じる問題がある。これは図２５から明らかな通り、３段階の強度を持つため、消去に対応する中位レベルの信号が、第２二値化部１１２で高位レベルに判定されてしまうためである。図２５は、従来の技術における切り替え信号の算出処理を示す説明図である。
【００３２】
すなわち、図２５の最下段に示されるとおり切り替え信号ＳＷが、高位レベルのままから変化しない信号として生成される問題があった。結果的に、選択部１０３において、スペース部のＬＰＰ成分Ｅｌｐｐ（ｓ）が選択されなくなり、スペース部のＬＰＰアドレスが検出されない問題があった。
【００３３】
スペース部のＬＰＰアドレスが検出されないので、ＤＶＤ−ＲＷの記録媒体からのアドレス情報の読み出しがエラーとなり、データの書き込みや読み出しが失敗する問題があった。
【特許文献１】特開２００５−１１６０７９号公報
【発明の開示】
【発明が解決しようとする課題】
【００３４】
そこで本発明は、ＤＶＤ−ＲＷのように、用いるレーザー光の強度が３段階（あるいはそれ以上）となる記録媒体におけるスペース部のＬＰＰアドレスを確実に検出するランドプリピットアドレス復調装置を提供することを目的とする。
【課題を解決するための手段】
【００３５】
第１の発明に係るランドプリピットアドレス復調装置は、ディスク型の記録媒体からのレーザー反射光を用いてランドプリピットアドレスを検出するランドプリピットアドレス復調装置であって、レーザー反射光の少なくとも一部を用いる第１検出部で検出された第１信号と、レーザー反射光の少なくとも一部を用いる第２検出部で検出された第２信号の差分信号を算出する減算部と、差分信号を二値化して第１アドレスを出力する第１二値化部と、第１信号と第２信号の加算信号を算出する加算部と、加算信号を二値化して切り替え信号を出力する第２二値化部と、切り替え信号での切り替えにより、差分信号と所定の基準信号の一方を選択出力する選択部と、選択部の出力を二値化して第２アドレスを出力する第３二値化部と、第１アドレスと第２アドレスの論理和を算出する算出部と、第２二値化部で用いる閾値を生成する生成部を備える。
【００３６】
この構成により、選択部で用いられる切替信号が高い精度で生成される。切替信号が高い精度で生成されることで、スペース部のＬＰＰアドレスの検出が確実に行われる。
【００３７】
第２の発明に係るランドプリピットアドレス復調装置では、生成部は、加算信号の積分値を生成するローパスフィルタを備える。
【００３８】
この構成により、切り替え信号を生成する際に用いる閾値が、二値化に必要な値をとることができる。結果として、選択部でスペース部のＬＰＰアドレスを検出するのに最適な切り替え信号が生成される。
【００３９】
第３の発明に係るランドプリピットアドレス復調装置では、生成部は、加算信号のピーク値を保持するピーク保持部と、ピーク値に可変のオフセット量を付与する付与部を備える。
【００４０】
この構成により、切り替え信号を生成する際に用いる閾値が、二値化に必要な値をとることができる。結果として、選択部でスペース部のＬＰＰアドレスを検出するのに最適な切り替え信号が生成される。
【００４１】
第４の発明に係るランドプリピットアドレス復調装置では、生成部は、加算信号の積分値を生成するローパスフィルタと、ローパスフィルタの出力に可変のオフセット量を付与する付与部を備える。
【００４２】
この構成により、加算信号のほぼ中央値よりもやや高い値を有する積分値に、更に所定のオフセット値が加えられ、第２二値化部での二値化が、正確に行われる。
【００４３】
第５の発明に係るランドプリピットアドレス復調装置では、生成部は、加算信号の値を所定のタイミングで保持するサンプルホールド部と、サンプルホールド部の出力に可変のオフセット量を付与する付与部を備える。
【００４４】
この構成により、第２二値化部での二値化の際の閾値が、高い精度で算出される。特に、レーザー反射光からなる加算信号の値の激しい変化速度に、閾値の算出速度が十分に追従できる。
【００４５】
第６の発明に係るランドプリピットアドレス復調装置では、記録媒体へのレーザー光が強度の低い順から第１強度、第２強度、第３強度を有する場合に、所定のタイミングは、第２強度のレーザー光が照射されているタイミングである。
【００４６】
この構成により、レーザー反射光からなる加算信号の中位レベルよりもやや高い値が、閾値として算出されるので、切り替え信号が高い精度で生成される。
【００４７】
第７の発明に係るランドプリピットアドレス復調装置では、生成部は、加算信号の積分値を生成するローパスフィルタと、加算信号のピーク値を保持するピーク保持部と、積分値とピーク値を増幅する増幅部と、積分値と増幅部の出力を加算する第２加算部を備える。
【００４８】
この構成により、加算信号の変化に関わらず、第２二値化部での二値化が確実に行われる閾値が算出される。
【００４９】
第８の発明に係るランドプリピットアドレス復調装置では、生成部は、ローパスフィルタの出力、付与部の出力および第２加算部の出力の少なくとも一つを、閾値として用いる。
【００５０】
この構成により、第２二値化部で、切り替え信号が高い精度で生成される。
【発明の効果】
【００５１】
本発明によれば、ＤＶＤ−ＲＷのように３段階以上のレーザー光の照射強度を必要とする記録媒体であっても、ピット部と重なって読み出しにくいスペース部のＬＰＰ成分を確実に検出できる。結果として、ＬＰＰアドレスの検出精度が高まる。
【００５２】
また、ＬＰＰアドレスの検出精度が高まるこで、記録媒体からの読み出し、記録媒体への書き込みが高い精度で行われ、読み出しエラー、書き込みエラーが減少する。
【００５３】
読み出しエラーと書き込みエラーの減少により、記録媒体再生装置の信頼性も高まる。
【発明を実施するための最良の形態】
【００５４】
以下、図面を参照しながら、本発明の実施の形態を説明する。
【００５５】
（実施の形態１）
図１は、本発明の実施の形態１におけるランドプリピットアドレス復調装置のブロック図である。
【００５６】
ランドプリピットアドレス復調装置１は、ディスク型の記録媒体からのレーザー反射光を用いてＬＰＰアドレスを検出する。ランドプリピットアドレス復調装置１は、減算部２、第１二値化部９、加算部１５、第２二値化部１２、選択部４、第３二値化部８と算出部１０を備え、これら以外にも必要に応じて他の要素を備える。
【００５７】
ここで、ディスク型の記録媒体はレーザー光などの光を用いて、情報を記録、消去、再生できる記録媒体であり、ＤＶＤ−Ｒ、ＤＶＤ−ＲＷが代表である。
【００５８】
記録媒体にはレーザー光が照射され、この照射に対するレーザー反射光の検出を起点としてＬＰＰアドレスの検出が行われる。
【００５９】
図２は、本発明の実施の形態１における記録媒体の表面を表す模式図である。ランド上にＬＰＰが形成され、ランド間にピットが形成されている。ピットと重なる位置に存在するＬＰＰは、マーク部のＬＰＰであり、ピットのない位置に存在するＬＰＰは、スペース部のＬＰＰである。レーザー光は、図２に示されるように、ランドにまたがった領域に照射されて反射する。レーザー反射光の一部は第１検出部（図示せず）で検出され、同じくレーザー反射光の一部は第２検出部（図示せず）で検出される。実施の形態１では、図２に示されるように、領域Ａからのレーザー反射光は、第１検出部で検出され、領域Ｂからのレーザー反射光は、第２検出部で検出される。
【００６０】
第１検出部で検出された信号は、第１信号ＴＥ＋であり、第２検出部で検出された信号は、第２信号ＴＥ−である。
【００６１】
減算部２は、第１信号ＴＥ＋と第２信号ＴＥ−の差分をとり、差分信号ＴＥを出力する。  加算部３は、ＤＣ成分調整部６からのフィードバック信号ＴＥ３ｄｃを、差分信号ＴＥに加える。ここで、フィードバック信号ＴＥ３ｄｃは、選択部４から出力されるスペース部のＬＰＰ成分Ｅｌｐｐ（ｓ）のみが抽出された信号ＴＥ２に対応する信号のＤＣ成分であるので、加算部３において、差分信号ＴＥから、差分信号ＴＥに含まれるマーク部のＬＰＰ成分Ｅｌｐｐ（ｍ）のみが抽出される。すなわち、差分信号ＴＥに含まれるスペース部に対応するＬＰＰ成分Ｅｌｐｐ（ｓ）がキャンセルされる。なお、ローパスフィルタ（以下、「ＬＰＦ」という）５は、選択部４の出力信号上のノイズを減衰する。
【００６２】
第１二値化部９は、このマーク部のＬＰＰ成分Ｅｌｐｐ（ｍ）を、所定の閾値に基づいて二値化して、第１アドレスを出力する。この第１アドレスは、マーク部のＬＰＰアドレスであるＢｌｐｐ（ｍ）を含む。
【００６３】
加算部１５は、第１信号ＴＥ＋と第２信号ＴＥ−を加算して、加算信号ＡＳを出力する。加算信号ＡＳは、生成部１１と第２二値化部１２に入力する。
【００６４】
生成部１１と第２二値化部１２での処理について図３、図４を用いて説明する。
【００６５】
図３は、本発明の実施の形態１における加算信号の波形図であり、図４は、本発明の実施の形態１における切り替え信号の生成を説明する波形図である。
【００６６】
記録媒体がＤＶＤ−ＲＷの場合には、レーザー光は３段階（書き込み、消去、読み出し）の照射強度を有するので、加算信号ＡＳは、図３に示されるような３段階の波形を有している。生成部１１は、この加算信号ＡＳに含まれる消去レベル（３段階での中位レベル）を算出し、算出したこのレベルを、第２二値化部１２での閾値Ｒｄｃ１として生成する。
【００６７】
第２二値化部１２は、この閾値Ｒｄｃ１を用いて、加算信号ＡＳを二値化して、切り替え信号ＳＷを生成する。加算信号ＡＳの中位レベルである消去レベルが閾値Ｒｄｃ１として利用されることで、第２二値化部１２では、図４の２段目に示される信号が生成される。次いで、パルスがつなげられて、図４の最下段にある切り替え信号ＳＷが生成される。この切り替え信号ＳＷから明らかな通り、従来の技術で問題となっていた、切り替え信号ＳＷが高位レベルのままとなる問題はない。また、この切り替え信号ＳＷは、ピットのある位置、すなわちマーク部となる位置では高位レベルであり、それ以外の位置（すなわちスペース部）では低位レベルとなる。
【００６８】
次に、図５を用いて選択部４での処理について説明する。図５は、本発明の実施の形態１における選択処理を説明する波形図である。
【００６９】
切り替え信号ＳＷを基に、選択部４は、差分信号ＴＥ１から、ＲＦ残留成分Ｒｒｆをキャンセルする。差分信号ＴＥ１からＲＦ成分Ｒｒｆがキャンセルされることで、スペース部に対応するＬＰＰ成分Ｅｌｐｐ（ｓ）が抽出される。
【００７０】
このとき、生成部１１において、加算信号ＡＳを監視しながら、加算信号ＡＳの消去レベルが閾値Ｒｄｃ１として生成されることで、切り替え信号ＳＷは、マーク部では高位レベルでありスペース部では低位レベルである状態を確実に維持できる。このため、選択部４でのスペース部のＬＰＰ成分Ｅｌｐｐ（ｓ）の検出が高い精度で行われる。
【００７１】
選択部４の出力ＴＥ２は、ノイズ除去のためのＬＰＦ５を経過し、ＶＧＡ７で適度に増幅される。
【００７２】
ピークホールド部１３は、ＶＧＡ７の出力信号ＴＥ４のピーク値をホールドする。可変オフセット付加部１４は、ピークホールド部１３の出力に適当なオフセットを付加して、第３二値化部８の閾値として出力する。
【００７３】
第３二値化部８は、選択部４で選択されたスペース部のＬＰＰ成分Ｅｌｐｐ（ｓ）を閾値ＴＥ６を基準に二値化して、第２アドレスを出力する。この第２アドレスは、スペース部のＬＰＰに対応するパルス信号である、Ｂｌｐｐ（ｓ）を含む。
【００７４】
このとき、生成部１１で生成される閾値Ｒｄｃ１が、高い精度で生成されるので、選択部４において、スペース部のＬＰＰ成分Ｅｌｐｐ（ｓ）の検出漏れが少ない。このため、Ｂｌｐｐ（ｓ）の算出精度も非常に高い。
【００７５】
第１二値化部９では、マーク部のＬＰＰアドレスＢｌｐｐ（ｍ）が算出され、第３二値化部８では、スペース部のＬＰＰアドレスＢｌｐｐ（ｓ）が算出される。このため、算出部１０は、これら二つのアドレスの論理和を算出し、マーク部とスペース部の両方のアドレスを含んだＬＰＰアドレスＢｌｐｐを出力する。
【００７６】
以上のランドプリピットアドレス復調装置１の処理により、記録媒体からＬＰＰアドレスが検出される。
【００７７】
特に、実施の形態１におけるランドプリピットアドレス復調装置１により、３段階以上のレーザー光の照射強度を必要とする記録媒体であっても、スペース部のＬＰＰ成分Ｅｌｐｐ（ｓ）を選択するための切り替え信号を生成するための閾値Ｒｄｃ１が、高い精度で生成される。結果として、残留ＲＦ成分Ｒｒｆに埋もれてしまいやすいスペース部のＬＰＰ成分Ｅｌｐｐ（ｓ）が、高い精度で検出される。特に、従来技術と異なり、３段階以上のレーザー光の照射強度の変化の影響を受けずに、閾値Ｒｄｃ１が算出されるメリットがある。このため、最終的なＬＰＰアドレスの検出精度が高まる。
【００７８】
実施の形態１では、レーザー光の照射強度が３段階である場合について説明したが、４段階以上であっても同様である。
【００７９】
なお、本発明のランドプリピットアドレス復調装置１は、レーザー光の照射強度が３段階以上であるフォーマットに対応する記録媒体からのＬＰＰアドレスの検出に適しているが、ＤＶＤ−Ｒのようにレーザー光の照射強度が２段階であるフォーマットの記録媒体からのＬＰＰアドレス検出にも、当然に兼用できる。また、閾値Ｒｄｃ１の生成の精度が高いので、レーザー光の照射強度が２段階のフォーマットに対応する記録媒体からのＬＰＰアドレスの検出の精度も、従来よりも高まる。
【００８０】
なお、図１１に示されるように、ランドプリピットアドレス復調装置１は、第１検出部３１と第２検出部３２を備えても良い。図１１は、本発明の実施の形態１におけるランドプリピットアドレス復調装置のブロック図である。第１検出部３１は、第１信号ＴＥ＋を検出し、第２検出部３２は、第２信号ＴＥ−を算出する。
【００８１】
（実施の形態２）
次に実施の形態２について、図６を用いて説明する。
【００８２】
図６は、本発明の実施の形態２におけるランドプリピットアドレス復調装置のブロック図である。
【００８３】
図１と同じ構成要素については説明を省略する。
【００８４】
図６におけるランドプリピットアドレス復調装置１は、第２二値化部１２で用いられる閾値Ｒｄｃ１の算出が、ＬＰＦ２０により行われる構成を有している。
【００８５】
ＬＰＦ２０は、加算信号ＡＳの積分値を算出して、この積分値をＲｄｃ１として出力する。加算信号ＡＳにおける、消去レベルと読み出しレベルとの差分は、余り大きくないことが多い。このため、加算信号ＡＳの積分値のレベルは、消去レベルの値よりも若干大きくなる。この積分値が閾値Ｒｄｃ１として用いられると、第２二値化部１２においては、加算信号ＡＳにおける消去レベルは、二値化における低位レベルとして判定される。本来低位レベルであるべきレーザー反射光が、高位レベルとして誤判定されることが大きく減少する。
【００８６】
すなわち、ＬＰＦ２０が、第２二値化部１２での閾値Ｒｄｃ１を算出することで、レーザー反射光の強度が３段階であっても、高位レベルと低位レベルの２値が確実に判定される。この閾値Ｒｄｃ１により、二値化されて算出された切り替え信号ＳＷにより、選択部４は、確実にスペース部のＬＰＰ成分Ｅｌｐｐ（ｓ）を選択できる。
【００８７】
以上のように、実施の形態２におけるランドプリピットアドレス復調装置１によれば、３段階以上のレーザー光の照射強度の変化の影響を受けずに、閾値Ｒｄｃ１が算出される。このため、最終的なＬＰＰアドレスの検出精度が高まる。
【００８８】
実施の形態２では、レーザー光の照射強度が３段階である場合について説明したが、４段階以上であっても同様である。
【００８９】
なお、本発明のランドプリピットアドレス復調装置１は、レーザー光の照射強度が３段階以上であるフォーマットに対応する記録媒体からのＬＰＰアドレスの検出に適しているが、ＤＶＤ−Ｒのようにレーザー光の照射強度が２段階であるフォーマットの記録媒体からのＬＰＰアドレス検出にも、当然に兼用できる。また、閾値Ｒｄｃ１の生成の精度が高いので、レーザー光の照射強度が２段階のフォーマットに対応する記録媒体からのＬＰＰアドレスの検出の精度も、従来よりも高まる。
【００９０】
（実施の形態３）
次に、図３、図７を用いて実施の形態３について説明する。
【００９１】
図７は、本発明の実施の形態３におけるランドプリピットアドレス復調装置のブロック図である。
【００９２】
図１と同じ構成要素については、説明を省略する。
【００９３】
図７に示されるランドプリピットアドレス復調装置１は、閾値Ｒｄｃ１の生成のために、ピークホールド部２１と可変オフセット付加部２２を備えている。
【００９４】
ピークホールド部２１は、加算信号ＡＳのピーク値をホールドする。ここで、加算信号ＡＳのピーク値は、図３から明らかな通り、レーザー反射光の書き込みレベルの値である。ピークホールド部２１は、この書き込みレベルの値を保持する。但し、この保持されているピーク値は相対的な値であり、絶対的な値ではないので、この保持されているピーク値に対して、可変オフセット付加部２２が、所定のオフセット量を付加する。このとき、オフセット量の付加後の値（閾値Ｒｄｃ１）が、加算信号ＡＳにおける消去レベルと書き込みレベルとの間の値になるように調整される。
【００９５】
このように、閾値Ｒｄｃ１が、加算信号ＡＳの消去レベルと書き込みレベルとの間の値であると、第２二値化部１２は、加算信号ＡＳの二値化において、消去レベルと読み出しレベルを低位レベルと判定し、書き込みレベルを高位レベルとして判定する。
【００９６】
このため、加算信号ＡＳは、ピットが形成されている領域では、高位レベルとして判定され、それ以外では低位レベルとして判定されるので、マーク部は高位レベル、スペース部は低位レベルである切り替え信号ＳＷが生成される。このとき、閾値Ｒｄｃ１は、加算信号ＡＳのピーク値（書き込みレベルの値）に所定のオフセット量が付加された値であるので、消去レベルの値が高位レベルとの誤った判定がされない。つまり、スペース部に対応する切り替え信号ＳＷが、高位レベルとなることはない。
【００９７】
選択部４は、この切り替え信号ＳＷに基づいて、差分信号ＴＥ１からスペース部のＬＰＰ成分Ｅｌｐｐ（ｓ）のみを確実に選択できる。結果として、最終的にはマーク部とスペース部の両方のＬＰＰアドレスが、正確に検出される。
【００９８】
以上のように、実施の形態３におけるランドプリピットアドレス復調装置１によれば、３段階以上のレーザー光の照射強度の変化の影響を受けずに、閾値Ｒｄｃ１が算出される。このため、最終的なＬＰＰアドレスの検出精度が高まる。
【００９９】
実施の形態３では、レーザー光の照射強度が３段階である場合について説明したが、４段階以上であっても同様である。
【０１００】
なお、本発明のランドプリピットアドレス復調装置１は、レーザー光の照射強度が３段階以上であるフォーマットに対応する記録媒体からのＬＰＰアドレスの検出に適しているが、ＤＶＤ−Ｒのようにレーザー光の照射強度が２段階であるフォーマットの記録媒体からのＬＰＰアドレス検出にも、当然に兼用できる。また、閾値Ｒｄｃ１の生成の精度が高いので、レーザー光の照射強度が２段階のフォーマットに対応する記録媒体からのＬＰＰアドレスの検出の精度も、従来よりも高まる。
【０１０１】
（実施の形態４）
次に、図３と図８を用いて実施の形態４について説明する。
【０１０２】
図８は、本発明の実施の形態４におけるランドプリピットアドレス復調装置のブロック図である。
【０１０３】
図１と同じ構成要素については、説明を省略する。
【０１０４】
図８に示されるランドプリピットアドレス復調装置１は、閾値Ｒｄｃ１の生成のために、ＬＰＦ２３と可変オフセット付加部２４を備えている。
【０１０５】
ＬＰＦ２３は、実施の形態２で説明したように、加算信号ＡＳの積分値を算出する。積分値は、図３に示される加算信号ＡＳの消去レベルと書き込みレベルとの間の値になる。
【０１０６】
可変オフセット付加部２４は、この積分値に所定のオフセット量を付加する。このとき、オフセット量の付加後の値（閾値Ｒｄｃ１）が、加算信号ＡＳにおける消去レベルと書き込みレベルとの間の値になるように調整される。
【０１０７】
このように、閾値Ｒｄｃ１が、加算信号ＡＳの消去レベルと書き込みレベルとの間の値であると、第２二値化部１２は、加算信号ＡＳの二値化において、消去レベルと読み出しレベルを低位レベルと判定し、書き込みレベルを高位レベルとして判定する。
【０１０８】
このため、加算信号ＡＳは、ピットが形成されている領域では、高位レベルとして判定され、それ以外では低位レベルとして判定されるので、マーク部は高位レベル、スペース部は低位レベルである切り替え信号ＳＷが生成される。このとき、閾値Ｒｄｃ１は、加算信号ＡＳのピーク値（書き込みレベルの値）に所定のオフセット量が付加された値であるので、消去レベルの値が高位レベルとの誤った判定がされない。つまり、スペース部に対応する切り替え信号ＳＷが、高位レベルとなることはない。
【０１０９】
選択部４は、この切り替え信号ＳＷに基づいて、差分信号ＴＥ１からスペース部のＬＰＰ成分Ｅｌｐｐ（ｓ）のみを確実に選択できる。結果として、最終的にはマーク部とスペース部の両方のＬＰＰアドレスが正確に検出される。
【０１１０】
以上のように、実施の形態３におけるランドプリピットアドレス復調装置１によれば、３段階以上のレーザー光の照射強度の変化の影響を受けずに、閾値Ｒｄｃ１が算出される。このため、最終的なＬＰＰアドレスの検出精度が高まる。
【０１１１】
実施の形態４では、レーザー光の照射強度が３段階である場合について説明したが、４段階以上であっても同様である。
【０１１２】
なお、本発明のランドプリピットアドレス復調装置１は、レーザー光の照射強度が３段階以上であるフォーマットに対応する記録媒体からのＬＰＰアドレスの検出に適しているが、ＤＶＤ−Ｒのようにレーザー光の照射強度が２段階であるフォーマットの記録媒体からのＬＰＰアドレス検出にも、当然に兼用できる。また、閾値Ｒｄｃ１の生成の精度が高いので、レーザー光の照射強度が２段階のフォーマットに対応する記録媒体からのＬＰＰアドレスの検出の精度も、従来よりも高まる。
【０１１３】
（実施の形態５）
次に、図３と図９を用いて実施の形態５について説明する。
【０１１４】
図９は、本発明の実施の形態５におけるランドプリピットアドレス復調装置のブロック図である。
【０１１５】
図１と同じ構成要素については、説明を省略する。
【０１１６】
図９に示されるランドプリピットアドレス復調装置１は、閾値Ｒｄｃ１の生成のために、サンプルホールド部２５と可変オフセット付加部２６を備えている。
【０１１７】
サンプルホールド部２５は、加算信号ＡＳの所定のレベルをサンプリングして保持する。ここで、記録媒体に対するレーザー光の照射強度が、図３に示されるように３段階の場合には、サンプルホールド部２５は、消去レベルをサンプリングする。
【０１１８】
あるいは、ＤＶＤ−Ｒのように、レーザー光の照射強度が書き込みレベルと読み出しレベルの２段階であれば（読み出しレベルは書き込みレベルよりパワーが低い）、サンプルホールド部２５は、読み出しレベルをサンプリングする。
【０１１９】
可変オフセット付加部２６は、サンプルホールド部２５で保持された値に対して、所定のオフセット量を付加する。このとき、オフセット量の付加後の値（閾値Ｒｄｃ１）が、加算信号ＡＳにおける消去レベルと書き込みレベルとの間の値になるように調整される。あるいは、レーザー光の照射強度が２段階の場合には、オフセット量の付加後の値（閾値Ｒｄｃ１）が、加算信号ＡＳの読み出しレベルと書き込みレベルの間の値になるように調整される。
【０１２０】
実施の形態４で説明されたＬＰＦ２３による積分値よりも、サンプルホールド部２５によるサンプル値の方が高速に算出される。このため、高速記録時にレーザー光の照射強度が、早い間隔で変化する場合（例えば、消去レベルから書き込みレベルに高速に変化する場合）に、高速に算出されるサンプルホールド部２５が用いられることは好適である。ＬＰＦ２３では、積分値の算出が、レーザー光の照射強度の変化に追いつかない場合があるのに対して、サンプルホールド部２５での算出は、レーザー光の照射強度の変化に容易に追従できるからである。
【０１２１】
このように、閾値Ｒｄｃ１が、加算信号ＡＳの消去レベルと書き込みレベルとの間の値であると、第２二値化部１２は、加算信号ＡＳの二値化において、消去レベルと読み出しレベルを低位レベルと判定し、書き込みレベルを高位レベルとして判定する。
【０１２２】
このため、加算信号ＡＳは、ピットが形成されている領域では、高位レベルとして判定され、それ以外では低位レベルとして判定されるので、マーク部は高位レベル、スペース部は低位レベルである切り替え信号ＳＷが生成される。このとき、閾値Ｒｄｃ１は、加算信号ＡＳのピーク値（書き込みレベルの値）に所定のオフセット量が付加された値であるので、消去レベルの値が高位レベルとの誤った判定がされない。つまり、スペース部に対応する切り替え信号ＳＷが、高位レベルとなることはない。
【０１２３】
選択部４は、この切り替え信号ＳＷに基づいて、差分信号ＴＥ１からスペース部のＬＰＰ成分Ｅｌｐｐ（ｓ）のみを確実に選択できる。結果として、最終的にはマーク部とスペース部の両方のＬＰＰアドレスが正確に検出される。
【０１２４】
以上のように、実施の形態３におけるランドプリピットアドレス復調装置１によれば、３段階以上のレーザー光の照射強度の変化の影響を受けずに、閾値Ｒｄｃ１が算出される。このため、最終的なＬＰＰアドレスの検出精度が高まる。
【０１２５】
勿論、２段階の照射強度の場合にも、同様に閾値Ｒｄｃ１により精度良く切り替え信号ＳＷが生成され、差分信号ＴＥ１より、スペース部のＬＰＰ成分Ｅｌｐｐ（ｓ）が、確実に選択される。
【０１２６】
実施の形態５では、レーザー光の照射強度が３段階である場合について説明したが、４段階以上であっても同様である。
【０１２７】
なお、本発明のランドプリピットアドレス復調装置１は、レーザー光の照射強度が３段階以上であるフォーマットに対応する記録媒体からのＬＰＰアドレスの検出に適しているが、ＤＶＤ−Ｒのようにレーザー光の照射強度が２段階であるフォーマットの記録媒体からのＬＰＰアドレス検出にも、当然に兼用できる。また、閾値Ｒｄｃ１の生成の精度が高いので、レーザー光の照射強度が２段階のフォーマットに対応する記録媒体からのＬＰＰアドレスの検出の精度も、従来よりも高まる。
【０１２８】
（実施の形態６）
次に、図３と図１０を用いて実施の形態６について説明する。
【０１２９】
図１０は、本発明の実施の形態６におけるランドプリピットアドレス復調装置のブロック図である。図１と同じ構成要素については説明を省略する。
【０１３０】
図１０に示されるランドプリピットアドレス復調装置１は、閾値Ｒｄｃ１の算出のために、ＬＰＦ２７、ピークホールド部２８、アンプ２９、加算部３０を備えている。
【０１３１】
ＬＰＦ２７は、加算信号ＡＳの積分値を算出する。算出された積分値は、加算部３０とアンプ２９に出力される。
【０１３２】
ピークホールド部２８は、加算信号ＡＳのピーク値を検出し、これを保持する。図３に示されるように、レーザー光の照射強度が３段階の場合には、書き込みレベルの値が、ピーク値として保持される。保持されたピーク値は、アンプ２９に出力される。
【０１３３】
アンプ２９は、ＬＰＦ２７から出力された積分値と、ピークホールド部２８からの出力を、所定の分割比で分割する。加算部３０は、この分割された値を、積分値に加算する。すなわち、加算信号ＡＳの積分値に、一定のオフセット量が付加されるのと同じになる。
【０１３４】
ここで、図３に示されるレーザー反射光の積分値は、おおよそ中位レベルから少し高いくらいの値に収束する（すなわち、消去レベルより若干高いレベルの値に収束する）。一方、ピークホールド部２８でホールドされる値は、図３に示されるレーザー反射光の最大値である書き込みレベルの値である。すなわち、アンプ２９でこの２つの値が分割され、の結果が積分値に加算されると、その値は、必ず消去レベルと書き込みレベルの間の値になる。すなわち、加算部３０から出力される閾値Ｒｄｃ１の値は、必ず消去レベルと書き込みレベルの間の値になる。
【０１３５】
このような閾値Ｒｄｃ１が用いられることで、第２二値化部１２は、図３に示されるレーザー反射光に対して、消去レベルと読み出しレベルを、低位レベルであると確実に判定できる。また、第２二値化部１２は、図３に示されるレーザー反射光に対して、書き込みレベルを、高位レベルであると確実に判定できる。
【０１３６】
結果として、書き込みのレベルのレーザー反射光の領域である、ピットの存在する領域（すなわちマーク部）は、高位レベルであり、ピットの存在しない領域（すなわちスペース部）は、低位レベルである切り替え信号ＳＷが、第２二値化部１２で生成される。
【０１３７】
実施の形態６のランドプリピットアドレス復調装置１は、レーザー反射光へのノイズが大きく、ピークホールド部２８だけでは、十分なピーク値が検出しにくい場合に有効である。同様に、実施の形態６のランドプリピットアドレス復調装置１は、消去レベルと読み出しレベルの差分が小さい場合にも有効である。
【０１３８】
なお、ＬＰＦ２７は、加算信号ＡＳのレベル変化に対して、自動で追従できるので、余分な調整が不要となる。
【０１３９】
選択部４は、この切り替え信号ＳＷに基づいて、差分信号ＴＥ１からスペース部のＬＰＰ成分Ｅｌｐｐ（ｓ）のみを確実に選択できる。結果として、最終的にはマーク部とスペース部の両方のＬＰＰアドレスが正確に検出される。
【０１４０】
以上のように、実施の形態３におけるランドプリピットアドレス復調装置１によれば、３段階以上のレーザー光の照射強度の変化の影響を受けずに、閾値Ｒｄｃ１が算出される。このため、最終的なＬＰＰアドレスの検出精度が高まる。
【０１４１】
勿論、２段階の照射強度の場合にも、同様に閾値Ｒｄｃ１により精度良く切り替え信号ＳＷが生成され、差分信号ＴＥ１より、スペース部のＬＰＰ成分Ｅｌｐｐ（ｓ）が、確実に選択される。
【０１４２】
実施の形態６では、レーザー光の照射強度が３段階である場合について説明したが、４段階以上であっても同様である。
【０１４３】
なお、本発明のランドプリピットアドレス復調装置１は、レーザー光の照射強度が３段階以上であるフォーマットに対応する記録媒体からのＬＰＰアドレスの検出に適しているが、ＤＶＤ−Ｒのようにレーザー光の照射強度が２段階であるフォーマットの記録媒体からのＬＰＰアドレス検出にも、当然に兼用できる。また、閾値Ｒｄｃ１の生成の精度が高いので、レーザー光の照射強度が２段階のフォーマットに対応する記録媒体からのＬＰＰアドレスの検出の精度も、従来よりも高まる。
【０１４４】
なお、実施の形態１から６までに説明された、閾値Ｒｄｃ１の生成にかかわる要素は、適宜、組み合わせられても良い。
【０１４５】
（実施の形態７）
図１２は、本発明の実施の形態７における記録媒体再生装置のブロック図である。
【０１４６】
記録媒体再生装置４０は、ランドプリピットアドレス復調装置１、検出部４１、復調部４２、信号処理部４３、再生部４４を備えている。
【０１４７】
ランドプリピットアドレス復調装置１は、実施の形態１から６までのいずれかで説明された要素である。
【０１４８】
検出部４１は、ランドプリピットアドレス復調装置１で検出されたＬＰＰアドレスに対応するデータ信号を検出する。復調部４２は、検出されたデータ信号を復調して、記録媒体に記録されている情報を読み出す。
【０１４９】
信号処理部４３は、復調されたデータ信号に対して誤り訂正を行ったり、必要な加工を行ったりする。再生部４４は、信号処理されたデータ信号を、再生する。例えば、音声や画像として再生する。
【０１５０】
実施の形態７における記録媒体再生装置によれば、ＬＰＰアドレスの誤検出が非常に少なく、高い精度での記録の再生が可能となる。
【０１５１】
（実施の形態８）
図１３は、本発明の実施の形態８における半導体集積回路のブロック図である。
【０１５２】
半導体集積回路５０は、ランドプリピットアドレス復調装置ブロック５１、画像処理部５２、音声処理部５３、誤り訂正部５４、ＣＰＵ５５を備えている。
【０１５３】
ランドプリピットアドレス復調装置ブロック５１は、実施の形態１から６で説明されたランドプリピットアドレス復調装置１と同等の構成要素であり、半導体回路で実現されている。
【０１５４】
画像処理部５２は、記録媒体から読み出された画像データを処理する。あるいは、記録媒体へ書き込む画像データを処理する。
【０１５５】
音声処理部５３は、記録媒体から読み出された音声データを処理する。あるいは、記録媒体へ書き込む音声データを処理する。
【０１５６】
誤り訂正部５４は、データに対して必要な誤り訂正を行う。
【０１５７】
ＣＰＵ５５は、種々の制御を行う。
【０１５８】
実施の形態８における半導体集積回路５０によれば、小型かつ低消費電力でありながら、ＬＰＰアドレスの誤検出を大きく低減できる。
【産業上の利用可能性】
【０１５９】
本発明は、例えば、ＤＶＤなどの光記録媒体からのアドレス検出を必要とする分野等において好適に利用できる。
【図面の簡単な説明】
【０１６０】
【図１】本発明の実施の形態１におけるランドプリピットアドレス復調装置のブロック図
【図２】本発明の実施の形態１における記録媒体の表面を表す模式図
【図３】本発明の実施の形態１における加算信号の波形図
【図４】本発明の実施の形態１における切り替え信号の生成を説明する波形図
【図５】本発明の実施の形態１における選択処理を説明する波形図
【図６】本発明の実施の形態２におけるランドプリピットアドレス復調装置のブロック図
【図７】本発明の実施の形態３におけるランドプリピットアドレス復調装置のブロック図
【図８】本発明の実施の形態４におけるランドプリピットアドレス復調装置のブロック図
【図９】本発明の実施の形態５におけるランドプリピットアドレス復調装置のブロック図
【図１０】本発明の実施の形態６におけるランドプリピットアドレス復調装置のブロック図
【図１１】本発明の実施の形態１におけるランドプリピットアドレス復調装置のブロック図
【図１２】本発明の実施の形態７における記録媒体再生装置のブロック図
【図１３】本発明の実施の形態８における半導体集積回路のブロック図
【図１４】ＤＶＤ−Ｒ／ＲＷに対応する記録媒体の一部を表す模式図
【図１５】従来の技術におけるランドプリピットアドレス復調装置のブロック図
【図１６】従来の技術における検出された第１信号を示す波形図
【図１７】従来の技術における第２信号を示す波形図
【図１８】従来の技術における差分信号を示す波形図
【図１９】従来の技術における第１二値化部での検出を示す波形図
【図２０】従来の技術における差分信号の波形図
【図２１】従来の技術における差分信号の波形図
【図２２】従来の技術におけるＬＰＰ成分の抽出処理を示す波形図
【図２３】従来の技術におけるＬＰＰ成分の抽出処理を示す波形図
【図２４】従来の技術におけるＤＶＤ−Ｒに対するレーザー光の変化を示す波形図
【図２５】従来の技術における切り替え信号の算出処理を示す説明図
【符号の説明】
【０１６１】
１  ランドプリピットアドレス復調装置
２  減算部
３  加算部
４  選択部
５  ＬＰＦ
６  ＤＣ成分調整部
７  ＶＧＡ
８  第３二値化部
９  第１二値化部
１０  算出部
１１  生成部
１２  第２二値化部
１３  ピークホールド部
１４  可変オフセット付加部
１５  加算部
２０  ＬＰＦ
２１  ピークホールド部
２２  可変オフセット付加部
２３  ＬＰＦ
２４  可変オフセット付加部
２５  サンプルホールド部
２６  可変オフセット付加部
２７  ＬＰＦ
２８  ピークホールド部
【図１】
2007234193.tif 000003
【図２】
2007234193.tif 000004
【図３】
2007234193.tif 000005
【図４】
2007234193.tif 000006
【図５】
2007234193.tif 000007
【図６】
2007234193.tif 000008
【図７】
2007234193.tif 000009
【図８】
2007234193.tif 000010
【図９】
2007234193.tif 000011
【図１０】
2007234193.tif 000012
【図１１】
2007234193.tif 000013
【図１２】
2007234193.tif 000014
【図１３】
2007234193.tif 000015
【図１４】
2007234193.tif 000016
【図１５】
2007234193.tif 000017
【図１６】
2007234193.tif 000018
【図１７】
2007234193.tif 000019
【図１８】
2007234193.tif 000020
【図１９】
2007234193.tif 000021
【図２０】
2007234193.tif 000022
【図２１】
2007234193.tif 000023
【図２２】
2007234193.tif 000024
【図２３】
2007234193.tif 000025
【図２４】
2007234193.tif 000026
【図２５】
2007234193.tif 000027